(57)【要約】【課題】撓みを防いで操作感を確保したキーボード・アセンブリを提供する。【解決手段】キーボード・アセンブリは、複数のキー１０９、１１１、１１３を備える。キーの周囲には化粧フレーム１５０が配置される。化粧フレームは使用時位置と組立時位置の間を前後方向にスライドする。組立時位置では、化粧フレームの前後壁１６１、１６３、１６５がキー・トップの下に潜り込み、取り付け用のネジが貫通する貫通口１７１が露出する。使用時位置では、貫通口が前後壁１６５の下に隠れて美観を確保する。貫通口は位置に制約が少ないため複数の箇所に設けることができる。キーボード・アセンブリは貫通口を貫通するネジで上からシステム筐体の遮へい板に固定する。【選択図】図４
2014153979.tif 000002
【特許請求の範囲】
【請求項１】
携帯式コンピュータのシステム筐体に取り付けて使用するキーボード・アセンブリであって、
プレートと、
前記プレートで支持される複数のキー・トップと、
各キー・トップの周囲に配置された前後壁と左右壁を備え、前記キーボード・アセンブリの使用時位置と組立時位置の間をスライドすることが可能な化粧フレームと
を有するキーボード・アセンブリ。
【請求項２】
前記化粧フレームは前記システム筐体に対して前記使用時位置で前側に位置し、前記組立時位置で後側に位置する請求項１に記載のキーボード・アセンブリ。
【請求項３】
前記組立時位置において前記前後壁の少なくとも一部が前記キー・トップの下までスライドする請求項１または請求項２に記載のキーボード・アセンブリ。
【請求項４】
前記組立時位置において前記キーボード・アセンブリを前記システム筐体に収納された遮へい板に固定するネジが貫通する貫通口が露出し、前記使用時位置において前記貫通口が前記前後壁の下に隠れる請求項１から請求項３のいずれかに記載のキーボード・アセンブリ。
【請求項５】
前記左右壁は、前記プレートに形成された複数のガイド部材にそれぞれ係合して前記化粧フレームの浮き上がりを防ぐ複数の係合部を含む請求項１から請求項４のいずれかに記載のキーボード・アセンブリ。
【請求項６】
前記ガイド部材が、前記使用時位置で前記化粧フレームのスライドをロックするロック部を有する請求項５に記載のキーボード・アセンブリ。
【請求項７】
前記化粧フレームが、スライドさせるための工具を係合させる工具溝を有する請求項１から請求項６のいずれかに記載のキーボード・アセンブリ。
【請求項８】
システム筐体と、
前記システム筐体に収納されたマザー・ボードと、
前記マザー・ボードの上に配置された金属性の遮へい板と、
前記システム筐体に嵌め込まれるキーボード・アセンブリとを有し、
前記キーボード・アセンブリは、
複数のキー・トップと、
前記キー・トップを支持するプレートと、
各キー・トップを囲む仕切り壁を備え、前記キーボード・アセンブリの使用時位置と組立時位置の間でスライドが可能な化粧フレームと
を有する携帯式コンピュータ。
【請求項９】
前記プレートに前記キーボード・アセンブリを前記遮へい板にネジで取り付けるための貫通口が形成されており、該貫通口は前記組立時位置で露出し、前記使用時位置で前記仕切り壁の下に隠れる請求項８に記載の携帯式コンピュータ。
【請求項１０】
複数のキー・トップと各キー・トップの周囲を囲む化粧フレームを含むキーボード・アセンブリがシステム筐体に取り付けられた携帯式コンピュータを製造する方法であって、
前記化粧フレームを前記キーボード・アセンブリの組立時位置にスライドさせて貫通口を露出させるステップと、
前記キーボード・アセンブリの後縁を前記システム筐体の後縁に嵌め込むステップと、
前記露出した貫通口を利用して前記キーボード・アセンブリと前記携帯式コンピュータをネジで結合するステップと、
前記化粧フレームを前記キーボード・アセンブリの使用時位置にスライドさせて前記貫通口を前記化粧フレームの下に隠すステップと
を有する方法。
【請求項１１】
前記組立時位置にスライドさせるステップが、前記キー・トップの下に前記化粧フレームの一部を潜り込ませるステップを含む請求項１０に記載の方法。
【請求項１２】
前記使用時位置にスライドさせるステップが、前記化粧フレームの表面に形成された工具溝に工具を当ててスライドさせるステップを含む請求項１０または請求項１１に記載の方法。
【請求項１３】
前記使用時位置にスライドさせるステップが前記化粧フレームの端部に形成された突起を前記システム筐体の縁に係合させるステップを有する請求項１０から請求項１１２のいずれかに記載の方法。
【請求項１４】
前記ネジで結合するステップが、前記キーボード・アセンブリとマザー・ボードの上に配置された遮へい板とをネジで結合するステップを含む請求項１０から請求項１１３のいずれかに記載の方法。
【請求項１５】
前記使用時位置で前記化粧フレームのスライドをロックするステップを有する請求項１０から請求項１４のいずれかに記載の方法。
【発明の詳細な説明】
【技術分野】
【０００１】
本発明は携帯式コンピュータに対するキーボード・アセンブリの取り付け構造に関する。
【背景技術】
【０００２】
キーボードはユーザに対して、スイッチの動作を指で感じる操作感覚（tactile）を与え、かつ長時間の操作でも疲労を与えないことが求められる。このニーズに対応するために多くのノートブック型パーソナル・コンピュータ（ノートＰＣ）では、いわゆるパンタグラフ方式のキーボードを採用する。パンタグラフ方式のキーボードでは、各キーがパンタグラフという支持構造とラバー・ドームという指の押下圧力に対する反力を与える弾力部材を含んでいる。
【０００３】
パンタグラフ方式のキーボードは、押下されたキー・トップが垂直方向に移動していくときにラバー・ドームの上部を徐々に押しつぶす。垂直方向への移動距離が長くなるに従って、ラバー・ドームの変形の程度が大きくなり指への反力も増大する。さらに移動距離が長くなると降伏点に達したラバー・ドームの頂部が急激に凹んで反力も低下する。
【０００４】
キー・スイッチは降伏点の直後に動作するように設定されているためユーザは反力の低下を感じてキー・スイッチの動作を認識する。指は急激な反力の低下を感じても急に操作を停止できないため、キー・スイッチが動作したあともさらにキーを押し込んでいく。キーの移動に伴ってさらに反力が強くなってからやがてユーザは押下する操作をやめる。このような操作感覚は、ディスプレイに表示されるソフトウェア・キーボードからは得ることができず、キーの物理的な移動を伴うキーボードが保有する独特の性能である。
【０００５】
パンタグラフは指がキー・トップの端を押下してもキー・トップの姿勢を保つことができるため、キー・トップが垂直方向に移動する間にキー・トップの表面をほぼ水平に維持する。特許文献１は、キーボード・ユニットの着脱作業を容易にする発明を開示する。キーボード・ユニットは、キーボード・ユニットの長手方向にスライドするように構成されている。
【先行技術文献】
【特許文献】
【０００６】
【特許文献１】特開２００９−２９４８０９号公報
【発明の概要】
【発明が解決しようとする課題】
【０００７】
キーボード・アセンブリはノートＰＣのシステム筐体に組み込まれる。ノートＰＣのキーボード・アセンブリは薄型にする必要があり、さらに比較的面積が広いためキーを操作する際に全体が撓んでしまって操作感を損なうことになる。したがって、キーボード・アセンブリはシステム筐体に嵌め込んだあとにできるだけ多くの箇所でシステム筐体に固定する必要がある。これまでの１つの方法では、キーボード・アセンブリの金属プレートにナットを固定し、システム筐体の裏側からナットをネジで固定するというものであった。この場合ネジが、マザー・ボードを貫通してしまうため、ネジ止めの箇所および数を十分に確保することが困難であったり、マザー・ボードの設計の自由度を制約してしまったりといった問題があった。
【０００８】
従来のキーボード・アセンブリはキー・トップの間に隙間を空けないものが多かったが、近年のキーボードでは、主として意匠的な理由でキー・トップを小さくしてキー・トップ間に化粧フレームを配置するようになってきている。キー・トップが小さくなると、キー・トップの端を押下しても安定した姿勢を維持し易くなるという利点もある。このようなタイプのキーボード・アセンブリでは、化粧フレームのさまざまな箇所にネジ穴を設け、キーボード・アセンブリの下に位置する金属シャーシにネジを切って結合することができる。
【０００９】
この方法では、マザー・ボードに貫通口を開ける必要がないため、ネジ止めの箇所数を増やすことが容易であるが、意匠上の理由でネジ頭の部分に形成した溝に同じ材料を埋め込んで隠す必要があるため、手間がかかったり美観上の問題が残ったりしていた。また、キーボード・アセンブリをシステム筐体に嵌め込む際にキー・トップの端に指がかかってキー・トップが剥がれてしまうという問題もある。本発明はこのようなキーボード・アセンブリに関する諸問題を解決する。
【００１０】
そこで本発明の目的は、操作感を確保するようにシステム筐体に取り付けることが可能なキーボード・アセンブリを提供することにある。さらに本発明の目的は、システム筐体に対するネジ止め箇所で美観を損なうことのないキーボード・アセンブリを提供することにある。さらに本発明の目的は、マザー・ボードに取り付け用の貫通口を開ける必要がないキーボード・アセンブリを提供することにある。さらに本発明の目的は、取り付けの容易なキーボード・アセンブリを提供することにある。
【００１１】
さらに本発明の目的は、取り付け時にキー・トップが剥がれ難いキーボード・アセンブリを提供することにある。さらに本発明の目的は、複数のモデルの携帯式コンピュータに共通して実装できるキーボード・アセンブリを提供することにある。さらに本発明の目的はそのようなキーボード・アセンブリを搭載する携帯式コンピュータおよび携帯式コンピュータの製造方法を提供することにある。
【課題を解決するための手段】
【００１２】
本発明は、携帯式コンピュータのシステム筐体に取り付けて使用するキーボード・アセンブリを提供する。キーボード・アセンブリは、プレートと、プレートで支持される複数のキー・トップと、各キー・トップの周囲に配置された前後壁と左右壁を備え、キーボード・アセンブリの使用時位置と組立時位置の間をスライドすることが可能な化粧フレームとを有する。
【００１３】
キーボード・アセンブリは、化粧フレームを使用時位置と組立時位置の間でスライドさせることで、使用時位置で美観を保ちながら、組立時位置で取り付けの容易性を確保したり多数の位置で固定したりすることを可能にする。化粧フレームはシステム筐体に対して使用時位置で前側に位置し、組立時位置で後側に位置するように構成することができる。組立時位置において前後壁の少なくとも一部がキー・トップの下までスライドするように構成することができる。その結果、取り付け時にキー・トップに指をかけても剥がれ難くすることができる。
【００１４】
組立時位置において、キーボード・アセンブリをシステム筐体の遮へい板に固定するネジが貫通する貫通口が露出し、使用時位置において貫通口が前後壁の下に隠れるように構成することができる。その結果、使用時位置ではネジ頭が前後壁の下に隠れるため美観を保たせることができる。また、ネジはキーボード・アセンブリの上から締めることができるため、システム筐体の裏側からネジ止めする際には必要であったマザー・ボードのネジ用の貫通口を設ける必要がなくなる。
【００１５】
さらにキーボード・アセンブリの上からネジ止めしても使用時位置では意匠的な問題を生じさせず、かつ、ネジとマザー・ボードとの干渉がないためネジ止めの箇所を増やして安定した操作感を確保することができる。さらに、ネジ止めの貫通口を予備も含めて複数設けることができるため、１つのキーボード・アセンブリを複数のモデルの携帯式コンピュータに実装できるようになる。
【００１６】
左右壁は、プレートに形成された複数のガイド部材にそれぞれ係合して浮き上がりを防ぐ複数の係合部を含むように構成することができる。ガイド部材は、使用時位置で化粧フレームのスライドをロックするロック部を有するように構成することができる。化粧フレームに、スライドさせるための工具を係合させる工具溝を形成することができる。工具溝に工具を係合させて化粧フレームをスライドさせることで、キーボード・アセンブリの取り付けが容易になりかつキー・トップに指をかけないようにすることでー・トップの剥がれを防ぐことができる。
【００１７】
本発明の他の態様では、複数のキー・トップと各キー・トップの周囲を囲む化粧フレームを含むキーボード・アセンブリがシステム筐体に取り付けられた携帯式コンピュータを製造する方法を提供する。化粧フレームを組立時位置にスライドさせて貫通口を露出させる。つぎに、キーボード・アセンブリの後縁をシステム筐体の後縁に嵌め込む。なお、キーボード・アセンブリを後縁に嵌め込んでから化粧フレームを組立時位置までスライドさせてもよい。つぎに、組立時位置で露出した貫通口を利用してキーボード・アセンブリと携帯式コンピュータをネジで結合する。つづいて化粧フレームを使用時位置にスライドさせる。
【００１８】
組立時位置にスライドさせる際に、化粧フレームの一部をキー・トップの下まで潜り込ませることで、キー・トップに指をかけてもキー・トップが剥がれ難くなる。使用時位置にスライドさせる際に、化粧フレームの表面に形成された工具溝に工具を当てることで、キー・トップに指をかけないでスライドさせて取り付けることができる。使用時位置にスライドさせる際に、化粧フレームの端部に形成された突起をシステム筐体の前縁に係合させることができる。キーボード・アセンブリは、マザー・ボードの上に配置された遮へい板にネジで結合ことができる。使用時位置では化粧フレームのスライドをロックすることができる。
【発明の効果】
【００１９】
本発明により、操作感を確保するようにシステム筐体に取り付けることが可能なキーボード・アセンブリを提供することができた。さらに本発明により、システム筐体に対するネジ止め箇所で美観を損なうことのないキーボード・アセンブリを提供することができた。さらに本発明により、マザー・ボードへ取り付け用の貫通口を開ける必要がないキーボード・アセンブリを提供することができた。さらに本発明により、取り付けの容易なキーボード・アセンブリを提供することができた。
【００２０】
さらに本発明により、取り付け時にキー・トップが剥がれ難いキーボード・アセンブリを提供することができた。さらに本発明により、複数のモデルの携帯式コンピュータに共通して実装できるキーボード・アセンブリを提供することができた。さらに本発明によりそのようなキーボード・アセンブリを搭載する携帯式コンピュータおよび携帯式コンピュータの製造方法を提供することができた。
【図面の簡単な説明】
【００２１】
【図１】ノートＰＣ１０の分解斜視図である。
【図２】キーボード・アセンブリ１００の平面図である。
【図３】使用時位置のキーボード・アセンブリ１００の平面を部分的に拡大した図である。
【図４】組立時位置のキーボード・アセンブリ１００の平面を部分的に拡大した図である。
【図５】図３に対応する断面図である。
【図６】図４に対応する断面図である。
【図７】化粧フレーム１５０の浮き上がり防止機構とスライド・ロック機構を説明する図である。
【図８】キーボード・アセンブリを取り付ける際にキー・トップが剥がれる様子を説明する図である。
【発明を実施するための形態】
【００２２】
図１は、ノートＰＣ１０の概略の構成を説明する分解斜視図である。図１は、キーボード・アセンブリ１００が取り外された様子を示している。ノートＰＣ１０は、ディスプレイ１３を収納するディスプレイ筐体１１と多くのデバイスを搭載するシステム筐体１５がヒンジ機構１９ａ、１９ｂで結合されている。キーボード・アセンブリ１００は、後縁１０１ａ、前縁１０１ｂ、左縁１０１ｃ、および右縁１０１ｄを備え、金属プレートに複数のキー（またはキー・トップ）を含むキー群１０４およびポインティング・スティック１０５が実装されている。
【００２３】
キーボード・アセンブリ１００は、後縁１０１ａ、前縁１０１ｂ、左縁１０１ｃ、および右縁１０１ｄが、それぞれシステム筐体１５の、後縁１７ａ、前縁１７ｂ、左縁１７ｃ、および右縁１７ｄに位置が整合して、システム筐体１５に嵌め込まれる。前縁１７ｂは、パームレスト２９の奥側の縁に相当する。システム筐体１５の内部には、ＣＰＵ、チップセット、メイン・メモリ、および回路パターンなどを実装したマザー・ボード（システム・プレーナ）２１、放熱ファン２３、およびハードディスク・ドライブ２７などが収納されている。キーボード・アセンブリ１００は、ポインティング・スティック１０５が生成した座標信号を転送するＦＦＣ（Flexible flat cables）１０３ａとキー・スイッチの動作信号を転送するＦＦＣ１０３ｂでマザー・ボード２１に接続される。
【００２４】
マザー・ボード２１に実装される電子デバイスは、高周波信号で動作るため外部に電磁波を放出したり、外部から進入した電磁波の影響を受けたりしやすい。したがってノートＰＣ１０は、このような電磁波障害（ＥＭＩ：Electro Magnetic Interference）を防ぐためにアルミニウムや銅などの導電性の金属材料で形成した遮へい板３１で電子デバイスを覆うことにより内部から放出する電磁波および外部から進入する電磁波を反射させたり吸収させたりして通過させない構造を採用している。
【００２５】
遮へい板３１はまた各電子デバイスに共通する基準電位を与える。図１は、キーボード・アセンブリ１００が装着される下側に、広い範囲でマザー・ボード２１が配置されかつその上には遮へい板３１が配置されている様子を示している。遮へい板３１は、内部の電子デバイスや回路基板などを周囲から覆う構造であるが、デバイスの実装上の理由で閉鎖できない範囲やＥＭＩ対策として許容される範囲では部分的に開放されている。
【００２６】
キーボード・アセンブリ１００は薄型化を図るほどシステム筐体の後縁１７ａ、前縁１７ｂ、左縁１７ｃおよび右縁１７で支持されない中央部が撓みやすくなる。キーを押下したときにキーボード・アセンブリ１００が撓むと操作感が悪くなる。これを防ぐために遮へい板３１には、キーボード・アセンブリ１００を固定するためのネジ穴４１ａ〜４１ｄが加工されている。
【００２７】
図２はキーボード・アセンブリ１００の平面図である。キー群１０４はスペース・キー１０７および文字キー（またはキー・トップ）１０９、１１１、１１３を含む。キー群１０４のキーとキーの間の隙間は、化粧フレーム１５０が覆っている。キーボード・アセンブリ１００は、キーとキーの間に隙間は設けているため、隙間を設けないキーボード・アセンブリよりもキー・トップの平面形状を小さくしている。
【００２８】
したがって、キー・トップの端を押下したときにも安定した姿勢を保つことができる。図２（Ａ）はキーボード・アセンブリ１００に化粧フレーム１５０が取り付けられた状態を示し、図２（Ｂ）はキーボード・アセンブリ１００から取り外した化粧フレーム１５０を示している。化粧フレーム１５０は各キーに対応する位置に収納空間が形成されている。
【００２９】
化粧フレーム１５０は、キー群１０４に対して矢印Ｘで示す手前側と奥側の前後方向にスライドできる構造である。化粧フレーム１５０の前縁１０１ｂには、システム筐体１５に嵌め込むための複数の突起１５３ａ〜１５３ｆが形成されている。また、前縁１０１ｂの近辺には、工具を押し当てて化粧フレーム１５０をスライドさせるための工具溝１５５ａ、１５５ｂが形成されている。
【００３０】
図３、図４は、キー１０９、１１１、１１３の近辺を拡大した部分平面図である。図５、図６は、それぞれ図３、図４のＡ−Ａ断面図である。図３、図５は、キーボード・アセンブリ１５０を使用するときの化粧フレーム１５０の位置を示している。以後、図３、図５に示す化粧フレーム１５０の位置を使用時位置という。図４、図６は、キーボード・アセンブリ１５０をシステム筐体１５に組み込むときの化粧フレーム１５０の位置を示している。以後図４、図６に示す化粧フレーム１５０の位置を組立時位置という。
【００３１】
化粧フレーム１５０は、キーを前後方向に仕切る領域として前後壁１６１、１６３、１６５を含む。各キーは、前後壁１６１、１６３、１６５とキーを左右方向に仕切る左右壁で囲まれた収納空間に配置される。図８に、収納空間２００を例示している。前後壁１６１、１６３、１６５は図３、図５の使用時位置では各キー・トップの間に配置されているため、キー・トップは前後壁と干渉しないで押下することができる。
【００３２】
前後壁１６１、１６３、１６５は図４、図６の組立時位置では少なくとも一部がキー・トップの下に潜り込んでいる。その結果、収納空間のキーの奥側には、スペース１６２、１６４、１６６が生まれて、キー・トップの下側の層が露出する。図５で、キーボード・アセンブリ１００は、キー・トップ１０９の下にメンブレン・シート１３１が配置され、その下にアルミニウムで形成した薄板状の金属プレート１３５が配置され、さらにその下には防水シート１３７が配置される。メンブレン・シート１３１は、表面に多数の配線パターンとキー・スイッチを構成する接点１３３がそれぞれ印刷された２枚のプラスチック・フィルムを、スペーサを挟んで重ね合わせた構造になっている。
【００３３】
ＦＦＣ１０３ｂを通じて、一方のプラスチック・フィルムの各接点はマザー・ボード２１のスキャン・ラインに接続され、他方のプラスチック・フィルムの各接点はデコーダ・ラインに接続される。金属プレート１３５には、打ち抜きおよび折り曲げ加工で、パンタグラフ１４１を固定するための係合部１３２ａ、１３２ｂが形成されている。各キーはほぼ同じ構造のためキー１０９を例示して説明する。
【００３４】
メンブレン・シート１３１の上には、ラバー・ドーム１３９が配置される。ラバー・ドーム１３９は頂部がキー・トップ１０９の裏側に接触している。ラバー・ドーム１３９はキー・トップ１０９が押下されたときに圧力を受けて下方向に沈み、圧力が解放されたときにその復元力でもとの形状に戻ることができるようになっている。パンタグラフ１４１は上部がキー・トップの裏側に嵌め込まれ、底部がメンブレン・シート１３１に形成した開口を通じて上に飛び出た金属プレート１３５の係合部１３２ａ、１３２ｂに取り付けられている。
【００３５】
図４、図６の組立時位置ではキー１１３の収納空間に貫通口１７１が露出しているが、図３、図５の使用時位置では貫通口１７１が前後壁１６５の下に隠れている。貫通口１７１は、たとえば図１のネジ穴４１ｂに位置が整合している。貫通口１７１は、メンブレン・シート１３１、金属プレート１３５および防水シート１３７を貫通する。キーボード・アセンブリ１００には、同様の貫通口が組立時位置で化粧フレーム１５０から露出する位置に形成されている。キーボード・アセンブリ１００は、各貫通口の一部またはすべてを利用して、遮へい板３１に形成された他のネジ穴とネジで結合される。
【００３６】
図７は、化粧フレーム１５０の浮き上がり防止機構とスライド・ロック機構を説明する図である。収納空間２００は、化粧フレーム１５０の前後壁２０１、２０３および左右壁２０５、２０５で囲まれている。収納空間２００は、それぞれ図２の工具溝１５５ａ、１５５ｂの近辺に配置されるキーに対応している。底面にはメンブレン・シート１３１が配置されている。メンブレン・シートの一部が切除された位置において、金属プレート１３５が折り曲げられてガイド部１３５ａが形成されている。ガイド部１３５ａが折り曲げられた跡には防水シート１３７が残っている。ガイド部１３５ａには傾斜部１３５ｂとロック部１３５ｃが形成されている。傾斜部１３５ｂは、前後壁２０１から前後壁２０３に向かう方向において下側に傾斜している。
【００３７】
左右壁２０５の底部には、Ｌ字状の係合部２０５ａが形成されている。係合部２０５ａは組立時位置では傾斜部１３５ｂに係合している。化粧フレーム１０５を前方向にスライドさせると係合部２０５ａが傾斜部１３５ｂから傾斜部１３５ｂから下方向の力を受けて化粧フレーム１５０の前側がわずかに沈む。化粧フレーム１５０が使用時位置までスライドすると、係合部２０５ａはロック部１３５ｃで浮かび上がって前後方向の移動がロックされる。
【００３８】
係合部２０５ａがロック部１３５ｃにロックされた状態では、化粧フレーム１５０は前後方向にスライドしない。化粧フレーム１５０を再び組立時位置まで移動させるには、工具溝１５５ａ、１５５ｂに押し当てた工具に下向きの力を加えてロックを外してから後ろ方向に力を加えてスライドさせる。キーボード・アセンブリ１００は他のいくつかのキーに対応する各収納空間には、ロック部１３５ｃがないガイド部を設けている。ロック部１３５ｃがないガイド部は、左右壁の係合部と係合して化粧フレーム１５０がメンブレン・シート１３１から浮き上がるのを防止する。
【００３９】
つぎにキーボード・アセンブリ１０をシステム筐体１５に取り付けてノートＰＣ１０を組み立てる方法を説明する。化粧フレーム１５０は、あらかじめ組立時位置までスライドさせておく。最初にＦＦＣ１０３ａ、１０３ｂをマザー・ボード２１の端子に接続する。つぎに、キーボード・アセンブリ１００の後縁１０１ａをシステム筐体１５の後縁１７ａに嵌め込む。つぎに、キーボード・アセンブリ１００の左縁１０１ｃ、右縁１０１ｄをシステム筐体１５の左縁１７ｃ、右縁１７ｄの上に載せる。つぎに、ネジ穴４１ａ〜４１に対応する貫通口１７１などの複数の貫通口を通じてネジでキーボード・アセンブリ１００を遮へい板３１に固定する。
【００４０】
キーボード・アセンブリ１００は、遮へい板３１に上からネジ止めできるため、マザー・ボード２１に貫通口を形成する必要がなくなり、マザー・ボード２１の設計の自由度が向上する。また、マザー・ボード２１との干渉がないためネジ止めする箇所の数を増やすことも容易なので、操作時の撓みを抑制してキーの操作感を確保することができる。さらに、ノートＰＣの他のモデルでは、遮へい板３１の他の位置にネジ穴を加工する必要がある場合でも、それらを網羅する複数の貫通口を予備的に形成しておくことができるため、キーボード・アセンブリ１００の共通化を図ることができる。つぎに、突起１５３ａ〜１５３ｆをシステム筐体１５の前縁１７ｂに嵌め込むために、工具溝１５５ａ、１５５ｂに工具を当てて化粧フレーム１５０を前方向にスライドさせる。
【００４１】
スライドの間は複数のキーの収納空間において、ガイド部により化粧フレーム１５０の浮き上がりが抑制される。化粧フレーム１５０が使用時位置までスライドすると、係合部２０５ａがロックされるとともに複数の突起１５３ａ〜１５３ｆが前縁１７ｂに嵌り込む。また化粧フレーム１５０が使用時位置までスライドすると貫通口は前後壁の下に隠れるため意匠的な問題を生じさせない。
【００４２】
突起１５３ａ〜１５３ｆを前縁１７ｂに嵌め込む際にはキーボード・アセンブリ１００にある程度の力を加える必要がある。このとき作業者は各キー・トップの後部に指をかけることがあり、キー・トップがパンタグラフ１４１から外れることがある。図８を参照してこのときの様子を説明する。図８（Ａ）のようにキー・トップ１０９の後部に指をかけてキーボード・アセンブリ１００を手前側（図では右方向）にスライドさせようとすると、キー・トップ１０９に発生した回転モーメントが、図８（Ｂ）のようにパンタグラフ１４１から引きはがす力に変換される。キー・トップ１１１がパンタグラフ１４１から外れると当該キーボード・アセンブリ１００は不良品扱いになる。
【００４３】
しかし、キーボード・アセンブリ１００は組立時位置で化粧フレームの前後壁がキー・トップの下まで移動するため、指をかけてもキー・トップ１０９の回転を抑制して剥がれ難くなる。また、工具溝１５５ａ、１５５ｂを利用して化粧フレーム１５０をスライドさせることができるため、キー・トップに力を加えないでもキーボード・アセンブリ１００をシステム筐体１５に取り付けることができる。
【００４４】
これまで本発明について図面に示した特定の実施の形態をもって説明してきたが、本発明は図面に示した実施の形態に限定されるものではなく、本発明の効果を奏する限り、これまで知られたいかなる構成であっても採用することができることはいうまでもないことである。
【符号の説明】
【００４５】
１１  ディスプレイ筐体
１５  システム筐体
１７ａ  システム筐体の後縁
１７ｂ  システム筐体の前縁
１７ｃ  システム筐体の左縁
１７ｄ  システム筐体の右縁
２１  マザー・ボード
３１  遮へい板
４１ａ〜４１ｄ  ネジ穴
１００  キーボード・アセンブリ
１０１ａ  キーボード・アセンブリの後縁
１０１ｂ  キーボード・アセンブリの前縁
１０１ｃ  キーボード・アセンブリの左縁
１０１ｄ  キーボード・アセンブリの右縁
１０９、１１１、１１３  キー（キー・トップ）
１３１  メンブレン・シート
１３５  金属プレート
１３５ａ  ガイド部
１３５ｂ  傾斜部
１３５ｃ  ロック部
１３７  防水シート
１５０  化粧フレーム
１５３ａ〜１５３ｆ  突起
１５５ａ、１５５ｂ  工具溝
１７１  貫通口
２００  収納空間
１６１、１６３、１６５、２０１、２０３  化粧フレームの前後壁
２０５、２０７  化粧フレームの左右壁
２０５ａ  左右壁２０５に形成された係合部
【図１】
2014153979.tif 000003
【図２】
2014153979.tif 000004
【図３】
2014153979.tif 000005
【図４】
2014153979.tif 000006
【図５】
2014153979.tif 000007
【図６】
2014153979.tif 000008
【図７】
2014153979.tif 000009
【図８】
2014153979.tif 000010